(57)【特許請求の範囲】
【請求項１】
横断面円形の棒状に形成されるロータ（８）の中心部に、該ロータ（８）の軸線方向に沿って延びるキー挿入孔（７）が設けられ、前記ロータ（８）の一直径線上で前記キー挿入孔（７）を挟む位置に配置される一対の隔壁（１７，１８）を相互間に形成して前記ロータ（８）の外面に両端を開口する一対ずつ複数組の摺動孔（１５，１６）が、前記ロータ（８）の軸線方向に間隔をあけた複数箇所で前記キー挿入孔（７）の一部と交差するようにして前記ロータ（８）に設けられ、前記キー挿入孔（７）への正規キー（１０）の挿入に応じて前記ロータ（８）の外面からの両端の突出を回避する位置に移動するようにして前記各摺動孔（１５，１６）に摺動可能にそれぞれ嵌合されるハーフタンブラー（１９，２０）の外側部と前記ロータ（８）との間に、それらのハーフタンブラー（１９，２０）の一端を前記ロータ（８）の外面から突出せしめる方向のばね力を発揮するばね（２１，２２）がそれぞれ設けられ、前記ロータ（８）をその軸線まわりの角変位摺動を可能として嵌合せしめるシリンダ体（５）の内面に、前記各摺動孔（１５，１６）の両端に対応する一対ずつ２組の凹部（２３，２４；２５，２６）が、対をなす両凹部（２３，２４；２５，２６）の一方（２３，２５）に前記ハーフタンブラー（１９，２０）の一端を挿入、係合せしめることを可能として設けられるシリンダ錠において、
対をなす前記隔壁（１７，１８）のうち前記ハーフタンブラー（１９，２０）の一端部側に対応した隔壁（１７）のキー挿入孔（７）側の端縁に係合可能な切欠き部（１９ａ，２０ａ）が、前記各ハーフタンブラー（１９，２０）のうち少なくとも１つのハーフタンブラー（１９，２０）の一端部内側に設けられ、
前記少なくとも１つのハーフタンブラー（１９，２０）を摺動可能に嵌合せしめる摺動孔（１５，１６）は、前記少なくとも１つのハーフタンブラー（１９，２０）がその他端をこれと対応する前記凹部（２３，２４；２５，２６）の他方（２４，２６）に挿入するまで移動した状態では、前記ばね（２１，２２）のばね力の作用により当該ハーフタンブラー（１９，２０）が前記切欠き部（１９ａ，２０ａ）を前記隔壁（１７）の端縁に係合する方向に該摺動孔（１５，１６）内で傾動することを許容するように形成され、
前記傾動により前記切欠き部（１９ａ，２０ａ）が前記隔壁（１７）の端縁に係合した状態では、その係合によって、該切欠き部（１９ａ，２０ａ）が設けられるハーフタンブラー（１９，２０）がその他端をこれと対応する前記凹部（２３，２４；２５，２６）の他方（２４，２６）に挿入、係合した状態に保持されることを特徴とするシリンダ錠。
【発明の詳細な説明】
【０００１】
【発明の属する技術分野】
本発明は、シリンダ体に角変位摺動可能に嵌合されるロータに、一対ずつ複数組のハーフタンブラーが装着されるシリンダ錠に関し、特に不正解錠を防止する機構を備えたシリンダ錠に関する。
【０００２】
【従来の技術】
従来、たとえば実開平１−７３２６６号公報等で開示されるように、ロータの軸線方向に間隔をあけた複数箇所に、一対ずつのハーフタンブラーがそれぞれ装着されるシリンダ錠は既に知られている。
【０００３】
【発明が解決しようとする課題】
このようなシリンダ錠は、正規キー以外の不正部材による不正解錠操作が面倒であり、シリンダ錠の不正解錠を極力防止し得るものではあるが、上記従来のものでは不正解錠を確実に防止することができなかった。
【０００４】
本発明は、かかる事情に鑑みてなされたものであり、不正解錠を確実に防止し得るようにしたシリンダ錠を提供することを目的とする。
【０００５】
【課題を解決するための手段】
上記目的を達成するために、本発明は、横断面円形の棒状に形成されるロータの中心部に、該ロータの軸線方向に沿って延びるキー挿入孔が設けられ、前記ロータの一直径線上で前記キー挿入孔を挟む位置に配置される一対の隔壁を相互間に形成して前記ロータの外面に両端を開口する一対ずつ複数組の摺動孔が、前記ロータの軸線方向に間隔をあけた複数箇所で前記キー挿入孔の一部と交差するようにして前記ロータに設けられ、前記キー挿入孔への正規キーの挿入に応じて前記ロータの外面からの両端の突出を回避する位置に移動するようにして前記各摺動孔に摺動可能にそれぞれ嵌合されるハーフタンブラーの外側部と前記ロータとの間に、それらのハーフタンブラーの一端を前記ロータの外面から突出せしめる方向のばね力を発揮するばねがそれぞれ設けられ、前記ロータをその軸線まわりの角変位摺動を可能として嵌合せしめるシリンダ体の内面に、前記各摺動孔の両端に対応する一対ずつ２組の凹部が、対をなす両凹部の一方に前記ハーフタンブラーの一端を挿入、係合せしめることを可能として設けられるシリンダ錠において、対をなす前記隔壁のうち前記ハーフタンブラーの一端部側に対応した隔壁のキー挿入孔側の端縁に係合可能な切欠き部が、前記各ハーフタンブラーのうち少なくとも１つのハーフタンブラーの一端部内側に設けられ、前記少なくとも１つのハーフタンブラーを摺動可能に嵌合せしめる摺動孔は、前記少なくとも１つのハーフタンブラーがその他端をこれと対応する前記凹部の他方に挿入するまで移動した状態では、前記ばねのばね力の作用により当該ハーフタンブラーが前記切欠き部を前記隔壁の端縁に係合する方向に該摺動孔内で傾動することを許容するように形成され、前記傾動により前記切欠き部が前記隔壁の端縁に係合した状態では、その係合によって、該切欠き部が設けられるハーフタンブラーがその他端をこれと対応する前記凹部の他方に挿入、係合した状態に保持されることを特徴とする。
【０００６】
このような構成によれば、シリンダ体の内面に対をなして設けられている凹部の一方に一端を係合せしめている複数のハーフタンブラーを、キー挿入孔に挿入した正規キー以外の不正部材により前記凹部との係合を解除するように操作する際に、少なくとも１つのハーフタンブラーが、その他端を他方の凹部に挿入、係合した状態となることにより、不正解錠が防止されることになる。すなわち、前記不正部材により、切欠き部を有する少なくとも１つのハーフタンブラーを、その一端が一方の凹部から離脱する方向に移動するように操作する際には、ハーフタンブラーの位置を外部から視認することができないので、当該ハーフタンブラーをその離脱方向の移動端まで移動させることになる。その状態では、当該ハーフタンブラーの他端が他方の凹部に挿入され、このとき、ばね力の作用により当該ハーフタンブラーが切欠き部を隔壁の端縁に係合する方向に摺動孔内で傾動し、この傾動により該切欠き部が隔壁の端縁に係合することで、当該ハーフタンブラーはその他端が他方の凹部に挿入、係合した状態で保持されることになって、ロータがシリンダ体内で角変位摺動することが阻止されるので、不正解錠が防止されることになる。
【０００７】
【発明の実施の形態】
以下、本発明の実施の形態を、添付の図面に示した本発明の一実施例に基づいて説明する。
【０００８】
図１〜図４は本発明の一実施例を示すものであり、図１はシリンダ錠の縦断面図であって図２の１−１線に沿う断面図、図２は正規キー挿入状態での図１の２−２線断面図、図３は正規キーを抜いた状態での図２に対応した断面図、図４は不正解錠操作状態での図２に対応した断面図である。
【０００９】
先ず図１において、固定のシリンダ体５に設けられたシリンダ孔６に、横断面円形の棒状に形成されるロータ８が、中立位置と、シリンダ孔６の周方向に沿って中立位置の一側に設定される鎖錠位置と、シリンダ孔６の周方向に沿って中立位置の他側に設定される解錠位置との間で角変位摺動することを可能として嵌合され、該ロータ８の両端はシリンダ体５の両端よりも突出される。しかもロータ８の中心部には、ロータ８の一端面（図１の左端面）に一端を開口した有底のキー挿入孔７が、該ロータ８の軸線方向に沿って延びるようにして設けられる。
【００１０】
ロータ８の軸線方向に間隔をあけた複数箇所、この実施例では、図１に鎖線で示した第１〜第４係合位置Ｐ１，Ｐ２，Ｐ３，Ｐ４の４箇所で、ロータ８をシリンダ体５に係合することが可能であり、そのような係合状態ではシリンダ体５に対するロータ８の角変位摺動が阻止される。また図１で示すように、キー挿入孔７に正規キー１０を挿入すると、ロータ８のシリンダ体５との係合が解除され、正規キー１０の操作によりロータ８をシリンダ体５内で角変位摺動することができる。
【００１１】
ロータ８の他端部には、該ロータ８とともに角変位するレバー１１の基部が固着され、該レバー１１およびシリンダ体５間には、ロータ８を前記中立位置側に向けて付勢するばね力を発揮する戻しばね１２が設けられる。
【００１２】
図２を併せて参照して、正規キー１０は、横断面形状を長方形状として一直線状に延びるキー主部１０ａの後端に操作部１０ｂが一体に連設されて成るものであり、キー主部１０ａの先端部両面の中央部には、その先端部両面の両側を切込むことにより突部１３，１４が形成される。それらの突部１３，１４は、キー主部１０ａの長手方向に沿って移動するにつれて形状が順次変化するものであり、両突部１３，１４は、相互に同一の形状を有すものであっても、相互に異なる形状を有するものであってもよい。
【００１３】
さらに、図３を併せて参照して、第３係合位置Ｐ３において、ロータ８には、該ロータ８の軸線に直交する平面内で両端をロータ８の外面に開口する一対の摺動孔１５，１６がキー挿入孔７の一部と交差するようにして設けられ、両摺動孔１５，１６相互間には、ロータ８の一直径線Ｌ上でキー挿入孔７を挟む位置に配置される一対の隔壁１７，１８が形成される。
【００１４】
各摺動孔１５，１６には、キー挿入孔７に正規キー１０が挿入されたときには、ロータ８の外面からの両端の突出を回避する位置に移動するようにしてハーフタンブラー１９，２０がそれぞれ摺動可能に嵌合されており、両ハーフタンブラー１９，２０の外側部とロータ８との間には、それらのハーフタンブラー１９，２０の一端（図２および図３の左端）をロータ８の外面から突出せしめる方向のばね力を発揮するばね２１，２２がそれぞれ設けられる。
【００１５】
ところで、この実施例では、一対の摺動孔１５，１６がロータ８の一直径線Ｌに関して対称に形成され、それに応じてハーフタンブラー１９，２０も同一形状に形成され、ばね２１，２２による両ハーフタンブラー１９，２０の付勢方向も同一方向に定められているのであるが、対をなす摺動孔１５，１６が前記一直径線Ｌに関して非対称に形成されていてもよく、ハーフタンブラー１９，２０も相互に異なる形状に形成されていてもよく、さらにばね２１，２２による両ハーフタンブラー１９，２０の付勢方向が相互に逆方向に定められていてもよい。
【００１６】
一方、シリンダ体５の内面には、中立位置で前記各摺動孔１５，１６の両端に対応する一対ずつ２組の凹部２３，２４；２５，２６が、対をなす両凹部２３，２４；２５，２６の一方２３，２５にハーフタンブラー１９，２０の一端を挿入、係合せしめることを可能として設けられる。
【００１７】
前記各ハーフタンブラー１９，２０の一端部内側には、対をなす前記隔壁１７，１８のうちハーフタンブラー１９，２０の一端部側に対応した隔壁１７のキー挿入孔７側の端縁に係合可能な切欠き部１９ａ，２０ａが設けられる。
【００１８】
一方、ハーフタンブラー２０を嵌合せしめる摺動孔１６は、図４で示すように、該ハーフタンブラー２０がその他端を対をなす両凹部２５，２６の他方２６に挿入するまで移動した状態では、ばね２２のばね力の作用により当該ハーフタンブラー２０が前記切欠き部２０ａを前記隔壁１７の端縁に係合する方向に傾動することを許容するように形成される。
【００１９】
またハーフタンブラー１９を嵌合せしめる摺動孔１５も、前記摺動孔１６と同様に、ハーフタンブラー１９がその他端を凹部２４に挿入するまで移動した状態では、ばね２１のばね力の作用により当該ハーフタンブラー１９がその切欠き部１９ａを隔壁１７のキー挿入孔７側の端縁に係合する方向に傾動することを許容するように形成される。
【００２０】
ロータ８における第１、第２および第４係合位置Ｐ１，Ｐ２，Ｐ４においても、上記第３係合位置Ｐ３のハーフタンブラー１９，２０と同様にして、図示しない一対のハーフタンブラーがそれぞれ装着されており、それらのハーフタンブラーは、その一端部内側に切欠き部を有するものであっても、なくてもよい。また一対ずつ２組の凹部２３，２４；２５，２６は、第１〜第４係合位置Ｐ１〜Ｐ４間に対応する部分間にわたってシリンダ体５の内面に設けられている。
【００２１】
次にこの実施例の作用について説明すると、キー挿入孔７に挿入した正規キー１０以外の不正部材により不正解錠操作を行なうにあたり、ロータ８における第３係合位置Ｐ３で凹部２３，２４；２５，２６の一方２３，２５に一端を係合せしめているハーフタンブラー１９，２０を、前記不正部材で凹部２３，２５との係合を解除するように操作すると、ハーフタンブラー１９，２０の位置を外部から視認することができないので、当該ハーフタンブラー１９，２０をその離脱方向の移動端まで移動させることになり、その状態では、当該ハーフタンブラー１９，２０の他端が他方の凹部２４，２６に挿入される。
【００２２】
而して、ハーフタンブラー１９，２０の他端が他方の凹部２４，２６に挿入されると、ばね２１，２２のばね力の作用により当該ハーフタンブラー１９，２０が、その一端側の切欠き部１９ａ，２０ａを隔壁１７のキー挿入孔７側の端縁に係合する方向に傾動することになる。これにより、ハーフタンブラー１９，２０は、その他端が他方の凹部２４，２６に挿入、係合した状態で保持されることになり、ロータ８がシリンダ体５内で角変位摺動することが阻止されるので、不正解錠が防止されることになる。
【００２３】
またロータ８における第１、第２および第４係合位置Ｐ１，Ｐ２，Ｐ４におけるハーフタンブラーが、その一端部内側に切欠き部を有するものであった場合には、第１〜第４係合位置Ｐ１〜Ｐ４のいずれの位置にあっても、ハーフタンブラーの他端が対をなす両凹部２３，２４；２５，２６の他方２４，２６に係合して、ロータ８のシリンダ体５に対する角変位摺動が阻止される。
【００２４】
ところでハーフタンブラー１９，２０の切欠き部１９ａ，２０ａが隔壁１７のキー挿入孔７側の端縁に係合した状態は、キー挿入孔７に正規キー１０を挿入することにより解除されるものであり、正規キー１０をキー挿入孔７に挿入することにより、ハーフタンブラー１９，２０は、その両端をロータ８の外面から突出しない位置まで移動することになる。
【００２５】
以上、本発明の実施例を詳述したが、本発明は上記実施例に限定されるものではなく、特許請求の範囲に記載された本発明を逸脱することなく種々の設計変更を行なうことが可能である。
【００２６】
たとえば上記実施例では、複数のハーフタンブラー１９，２０に切欠き部１９ａ，２０ａが設けられていたが、複数のハーフタンブラーのうち少なくとも１つのハーフタンブラーに切欠き部が設けられていればよい。
【００２７】
【発明の効果】
以上のように本発明によれば、キー挿入孔に挿入した正規キー以外の不正部材で不正解錠操作を行なうと、対をなす凹部の一方に一端を挿入、係合した状態にある少なくとも１つのハーフタンブラーが、その他端を他方の凹部に挿入、係合した状態となり且つこの状態が該ハーフタンブラー一端部内側に設けた切欠き部とロータ隔壁との係合により保持されることになって、ロータのシリンダ体に対する角変位摺動が阻止されるので、不正解錠が確実に防止されることになる。
【図面の簡単な説明】
【図１】シリンダ錠の縦断面図であって図２の１−１線に沿う断面図である。
【図２】正規キー挿入状態での図１の２−２線断面図である。
【図３】正規キーを抜いた状態での図２に対応した断面図である。
【図４】不正解錠操作状態での図２に対応した断面図である。
【符号の説明】
５・・・シリンダ体
７・・・キー挿入孔
８・・・ロータ
１０・・・正規キー
１５，１６・・・摺動孔
１７，１８・・・隔壁
１９，２０・・・ハーフタンブラー
１９ａ，２０ａ・・・切欠き部
２１，２２・・・ばね
２３，２４，２５，２６・・・凹部
【図１】
0003676606.tif 000002
【図２】
0003676606.tif 000003
【図３】
0003676606.tif 000004
【図４】
0003676606.tif 000005